(57)【特許請求の範囲】
【請求項１】
ボルト締付け装置に設けられたソケットにボルトを供給するボルト供給方法であって、
ソケットを、所定の締付け姿勢からソケット先端のボルト保持部が上方を向く上向き姿勢に姿勢変更するボルト供給準備工程と、
上向き姿勢のソケットのボルト保持部よりも高所に配置されたボルトマガジンに保持される複数のボルトのうちの１つをボルト把持手段により把持してソケットのボルト保持部に挿入するボルト供給工程とを有し、
ボルト供給工程は、ボルトマガジンを、当該マガジンに保持される複数のボルトの１つをボルト把持手段で把持可能なボルト受け渡し位置に移動させるボルト把持準備工程と、ボルト把持手段でボルトを把持するボルト把持工程と、ボルトマガジンをボルト把持手段の下方への移動軌跡から外れた退避位置に移動させるマガジン退避工程と、ボルト供給準備工程完了後に、ボルト把持手段を下方に移動させて上向き姿勢のソケットのボルト保持部にボルトを上方から挿入するボルト挿入工程とから成ることを特徴とするボルト締付け装置におけるボルト供給方法。
【請求項２】
ボルト締付け装置に設けられたソケットにボルトを供給するボルト供給装置であって、
ソケットを、所定の締付け姿勢からソケット先端のボルト保持部が上方を向く上向き姿勢に姿勢変更自在とし、
上向き姿勢のソケットのボルト保持部よりも高所に配置された、複数のボルトを保持するボルトマガジンと、
ボルトマガジンに保持されるボルトの１つを把持して、上向き姿勢のソケットのボルト保持部に上方からボルトを挿入するボルト把持手段とを備え、
ボルト把持手段は、上向き姿勢のソケットの軸線と同一線上で上下方向に直線移動自在であり、
ボルトマガジンは、当該マガジンに保持されるボルトの１つをボルト把持手段で把持可能なボルト受け渡し位置と、ボルト把持手段の下方への移動軌跡から外れた退避位置とに移動自在であることを特徴とするボルト締付け装置におけるボルト供給装置。
【発明の詳細な説明】
【技術分野】
【０００１】
本発明は、ボルト締付け装置に設けられたソケットにボルトを供給するボルト供給方法及びこの方法の実施に用いるボルト供給装置に関する。
【背景技術】
【０００２】
ボルト締付け装置は、ナットランナの出力軸に連結されたソケットの先端のボルト保持部に保持されるボルトをナットランナの作動によるソケットの回転でワークに締付けるように構成されている。
【０００３】
従来、このようなボルト締付け装置におけるボルト供給装置として、ナットランナと共にワーク方向に前進し、所定位置に前進したところで停止するスライダと、スライダに回動自在に支持されるボルトキャッチャとを備えるものが知られている（例えば、特許文献１参照）。このものでは、ボルトキャッチャに上方からパイプを介してボルトを落とし込み、次に、ボルトキャッチャをボルトがナットランナのソケットと同心になるように回動させ、この状態でナットランナをワーク方向に前進させることにより、ボルトキャッチャにソケットを進入させて、ソケット先端のボルト保持部にボルトを受け渡すようにしている。
【０００４】
このものでは、ボルトを安定して供給できるが、ソケットの先端近傍にスライダ及びボルトキャッチャから成るボルト供給のための付帯設備が配置されるため、この付帯設備がワークに干渉してボルト締めが行えなくなることがある。
【特許文献１】特開昭６４−７８７３０号公報
【発明の開示】
【発明が解決しようとする課題】
【０００５】
本発明は、以上の点に鑑み、ソケットの先端近傍にボルト供給のための付帯設備を配置せずに、ソケットにボルトを安定して供給できるようにしたボルト締付け装置におけるボルト供給方法及びこの方法の実施に用いるボルト供給装置を提供することをその課題としている。
【課題を解決するための手段】
【０００６】
上記課題を解決するために、本発明は、ボルト締付け装置に設けられたソケットにボルトを供給するボルト供給方法であって、ソケットを、所定の締付け姿勢からソケット先端のボルト保持部が上方を向く上向き姿勢に姿勢変更するボルト供給準備工程と、上向き姿勢のソケットのボルト保持部よりも高所に配置されたボルトマガジンに保持される複数のボルトのうちの１つをボルト把持手段により把持してソケットのボルト保持部に挿入するボルト供給工程とを有し、ボルト供給工程は、ボルトマガジンを、当該マガジンに保持される複数のボルトの１つをボルト把持手段で把持可能なボルト受け渡し位置に移動させるボルト把持準備工程と、ボルト把持手段でボルトを把持するボルト把持工程と、ボルトマガジンをボルト把持手段の下方への移動軌跡から外れた退避位置に移動させるマガジン退避工程と、ボルト供給準備工程完了後に、ボルト把持手段を下方に移動させて上向き姿勢のソケットのボルト保持部にボルトを上方から挿入するボルト挿入工程とから成ることを特徴とする。
【０００７】
また、本発明のボルト供給装置は、ソケットを、所定の締付け姿勢からソケット先端のボルト保持部が上方を向く上向き姿勢に姿勢変更自在とし、上向き姿勢のソケットのボルト保持部よりも高所に配置された、複数のボルトを保持するボルトマガジンと、ボルトマガジンに保持されるボルトの１つを把持して、上向き姿勢のソケットのボルト保持部に上方からボルトを挿入するボルト把持手段とを備え、ボルト把持手段は、上向き姿勢のソケットの軸線と同一線上で上下方向に直線移動自在であり、ボルトマガジンは、当該マガジンに保持されるボルトの１つをボルト把持手段で把持可能なボルト受け渡し位置と、ボルト把持手段の下方への移動軌跡から外れた退避位置とに移動自在であることを特徴とする。
【０００８】
本発明によれば、締付け姿勢が、ソケットのボルト保持部へのボルトの安定供給が困難な水平や下向きの姿勢であっても、ボルト供給時にはソケットを上向き姿勢にすることで、ボルト保持部に上方から安定してボルトを供給できる。更に、ボルトマガジンをボルト受け渡し位置に移動させて、ボルト把持手段にボルトを把持させた後、ボルトマガジンを退避位置に移動させることにより、ボルト把持手段を下方に直線移動するだけで、ボルトマガジンとの干渉を生ずることなく、ソケットのボルト保持部にボルトを挿入できる。従って、ボルトマガジンを回避するようにボルト把持手段を上下方向以外の方向にも移動させる場合に比し、ボルト把持手段の位置精度を確保し易くなり、ソケットに安定して確実にボルトを供給できる。
【０００９】
また、ボルト供給後は、ソケットを締付け姿勢にしてワークにボルトを締付けるが、ボルト締付け時には、ソケットの先端近傍にボルト供給のための付帯設備が存在せず、ワークへの付帯設備の干渉でボルト締めが実行不能になることを回避できる。
【発明を実施するための最良の形態】
【００１０】
図１は、トランスミッションケース等のワークＷにチェックボルト等の複数のボルトＢ（図２、図４参照）を締付ける作業ステーションを示している。このステーションの側部にはロボットＲが配置されている。そして、ロボットＲの動作端、即ち、ロボットアームＲａの先端の手首Ｒｂに、ボルト締付け装置の本体となる締付けヘッド１が搭載されている。
【００１１】
図２乃至図４を参照して、締付けヘッド１は、ロボットＲの手首Ｒｂに固定される上下方向に長手の基盤２を備えており、基盤２の背面にナットランナ３が取り付けられている。ナットランナ３は、下端部に水平姿勢の出力軸３ａを備えている（図５参照）。また、締付けヘッド１には、第１と第２の２個のソケット４１，４２と、後述する使用位置に存するソケット４１，４２とナットランナ３の出力軸３ａとを着脱自在に連結する着脱機構５と、ソケット交換機構６と、ソケット４１，４２にボルトＢを供給するボルト供給装置７とが設けられている。
【００１２】
各ソケット４１，４２は、図５に示す如く、スリーブ４１と、スリーブ４１内に軸支した回転軸４２と、スリーブ４１から突出する回転軸４２の先端部にクロスピン４３ａで相対回転不能に連結したソケット本体４３とを備えている。ソケット本体４３の先端には、ボルトＢの頭部Ｂａを受け入れる角形の凹孔から成るボルト保持部４４が形成されている。ボルト保持部４４の底部には、ボルトＢを吸着する磁石４４ａが埋設されている。また、回転軸４２は、基端側の軸部４２ａと、該軸部４２ａにバネ４２ｂで軸方向先方に付勢した状態で相対回転不能に嵌合する先端側の軸部４２ｃとから成る伸縮自在な軸で構成される。また、回転軸４２の基端部には、スリーブ４１の基端部内周に周方向の間隔を存して形成した窪み４１ａに係合して、回転軸４２に軽い制止力を付与するボールプランジャ４５が取り付けられている。
【００１３】
着脱機構５は、図５に示す如く、ナットランナ３の出力軸３ａに相対回転不能で軸方向に摺動自在に外嵌し、回転軸４２の基端に軸方向から係合可能なドグクラッチ５１を備えている。ドグクラッチ５１は、基盤２の下端部背面に突設したガイドピン５２（図３、図４参照）により出力軸３ａの軸方向に移動自在に支持されるクラッチホルダ５３に軸支されている。クラッチホルダ５３には、上方に向かって後方に傾斜するカム溝５４が設けられており、このカム溝５４に、基盤２の背面に取付けたシリンダ５５により上下動されるロッド５５ａの下端に取付けたローラ５６を係合させている。かくして、ローラ５６を上動させたとき、カム溝５４を介してクラッチホルダ５３が前進し、ドグクラッチ５１がソケット４１，４２の回転軸４２に係合して（図５の上半部に示す状態）、ソケット４１，４２とナットランナ３の出力軸３ａとが連結され、ローラ５６を下動させたとき、クラッチホルダ５３が後退し、ドグクラッチ５１がソケット４１，４２の回転軸４２から離脱して（図５の下半部に示す状態）、ソケット４１，４２とナットランナ３の出力軸３ａとの連結が解除される。尚、クラッチホルダ５３を前進させる際は、ナットランナ３の出力軸３ａを低速回転させる。これにより、ドグクラッチ５１がボールプランジャ４５で制止される回転軸４２に対し相対回転して位相合わせされ、所定の係合位相になったところでドグクラッチ５１が回転軸４２に係合する。
【００１４】
ソケット交換機構６は、各ソケット４１，４２をナットランナ３の出力軸３ａの軸線に合致する使用位置と該軸線から離隔した待機位置とに移動させる移動機構と、各ソケット４１，４２を待機位置への移動時にボルト保持部４４が上方を向く上向き姿勢に姿勢変化させ、使用位置への移動時にナットランナ３の出力軸３ａの軸線に沿う締付け姿勢に姿勢変化させる姿勢変更機構とで構成される。本実施形態では、移動機構の構成要素となる移動テーブル６１を、基盤２の前面に、これに固定したガイドレール６１ａに沿ってナットランナ３の出力軸３ａの軸線と直交する横方向に往復動自在に支持させている。そして、移動テーブル６１に、各ソケット４１，４２を該各ソケット４１，４２のスリーブ４１の基端部に設けたヒンジ軸４６において上向き姿勢と締付け姿勢とに揺動自在に軸支している。
【００１５】
移動テーブル６１の背面には、図３に示す如く、横方向に傾斜して上下方向にのびるカム溝６１ｂが形成されている。また、基盤２の背面に、これに固定したガイドレール６２ａに沿って上下方向に移動自在なスライダ６２と、スライダ６２を上下動させるシリンダ６３とを設けている。スライダ６２には、基盤２に形成した上下方向の長孔２ａを通してカム溝６１ｂに係合するピン６２ｂが固定されている。かくして、スライダ６２を下動させると、ピン６２ｂ及びカム溝６１ｂを介して移動テーブル６１が横方向一方（図２の左方）に往動し、スライダ６２を上動させると、移動テーブル６１が横方向他方（図２の右方）に復動する。そして、移動テーブル６１の往動により、第１ソケット４１がナットランナ３の出力軸３ａの軸線から一側方（左方）に離隔した待機位置に移動すると共に、第２ソケット４２が使用位置に移動し、移動テーブル６１の復動により、第１ソケット４１が使用位置に移動すると共に、第２ソケット４２がナットランナ３の出力軸３ａの軸線から他側方（右方）に離隔した待機位置（図２に示す位置）に移動する。本実施形態では、移動テーブル６１とスライダ６２とシリンダ６３とで移動機構が構成される。
【００１６】
姿勢変更機構は、基盤２の前面下部に固定された、第１と第２の両ソケット４１，４２に対応する第１と第２の一対のカム６５１，６５２と、各ソケット４１，４２のスリーブ４１の基端部に連結された、各カム６５１，６５２に係合するカムフォロア６６とから成るカム機構６４で構成される。各カム６５１，６５２は、各ソケット４１，４２のヒンジ軸４６を中心とする仮想円筒面に沿って横方向に螺旋状にのびるレール６５ａを有している。レール６５ａは、横方向内方端では仮想円筒面から下方に張り出し、横方向外方端では仮想円筒面から前方に張り出す。また、カムフォロア６６は、レール６５ａを挟み込むようにしてカム６５に係合する一対のローラで構成される。そして、仮想円筒面から下方に張り出すレール６５ａの部分をカムフォロア６６が挟んだときに、各ソケット４１，４２が締付け姿勢となり、仮想円筒面から前方に張り出すレール６５ａの部分をカムフォロア６６が挟んだときに、各ソケット４１，４２が上向き姿勢になる。かくして、移動テーブル６１を図２で左方に往動させると、第１ソケット４１が使用位置から左方の待機位置に移動しつつ、第１カム６５１により締付け姿勢から上向き姿勢に姿勢変化すると共に、第２ソケット４２が右方の待機位置から使用位置に移動しつつ、第２カム６５２により上向き姿勢から締付け姿勢に姿勢変化する。また、移動テーブル６１を図２で右方に移動させると、第１ソケット４１が左方の待機位置から使用位置に移動しつつ、第１カム６５１により上向き姿勢から締付け姿勢に姿勢変化すると共に、第２ソケット４２が使用位置から右方の待機位置に移動しつつ、第２カム６５２により締付け姿勢から上向き姿勢に姿勢変化する。
【００１７】
ボルト供給装置７は、第１と第２の両ソケット４１，４２に対応する第１と第２の一対のボルトマガジン８１，８２と、第１と第２の一対のボルト把持手段９１，９２とで構成されている。移動テーブル６１の前面には、これに固定のガイドレール８１ａに沿ってシリンダ８１ｂにより横方向に往復動されるスライド板８１が設けられている。そして、両ボルトマガジン８１，８２は、上向き姿勢のソケット４１，４２のボルト保持部４４よりも高所で、スライド板８１に横方向に所定の間隔を存して取り付けられている。
【００１８】
各ボルトマガジン８１，８２は、図６に示す如く、複数（図示例では３個）のボルトＢを横１列で保持可能に構成されている。各ボルトマガジン８１，８２には、横方向内方の切り出し爪８２と、横方向外方の押し込み爪８３とが設けられている。切り出し爪８２と押し込み爪８３は夫々軸８２ａ，８３ａを支点にして横方向に揺動自在である。また、両ボルトマガジン８１，８２の切り出し爪８２，８２間には引張りバネ８４が張設されている。そして、この引張りバネ８４により切り出し爪８２をストッパピン８６で規制される閉じ位置に付勢保持し、ボルトＢが各ボルトマガジン８１，８２から横方向内方に脱落することを切り出し爪８２で防止している。切り出し爪８２に当接する横方向最内側のボルトＢを後述する如くボルト把持手段９１，９２により把持した状態で、各ボルトマガジン８１，８２を横方向外方に移動させると、このボルトＢが切り出し爪８２を横方向内方に押し開きつつ各ボルトマガジン８１，８２から横方向内方に引き出される。
【００１９】
押し込み爪８３は、これに立設したピン８５ａと各ボルトマガジン８１，８２の上板部に立設したピン８５ｂとの間に張設する引張りバネ８５により横方向内方に揺動付勢されている。各ボルトマガジン８１，８２の横方向最内側のボルトＢが引き出されると、各ボルトマガジン８１，８２上のボルトＢが閉じ位置に揺動復帰する切り出し爪８２に当接する位置まで押し込み爪８３により横方向内方に押される。また、押し込み爪８３には操作ピン８３ｂが立設されている。そして、ワークＷに複数のボルトＢを締付けた後、ロボットＲの動作で締付けヘッド１を所定のボルト供給場所に移動させたとき、操作ピン８３ｂを介して押し込み爪８３を横方向外方の開き位置に揺動させ、この状態で各ボルトマガジン８１，８２にパーツフィーダ（図示せず）から複数のボルトＢを供給するようにしている。
【００２０】
図２、図４、図７を参照して、第１と第２の各ボルト把持手段９１，９２は、ボルトＢの軸部Ｂｂを把持可能な一対の把持爪９１，９１と、把持爪９１，９１を開閉動作及び低速回転させるアクチュエータ９２とを備えている。また、移動テーブル６１の前面上部の左右両側部に固定した各ガイドレール９３ａに沿って各シリンダ９３ｂにより上下動される一対の昇降枠９３，９３を設け、各昇降枠９３に各ボルト把持手段９１，９２を取り付けている。そして、移動テーブル６１に対し第１ソケット４１と横方向同一位置で第１ボルト把持手段９１が上下動し、移動テーブル６１に対し第２ソケット４２と横方向同一位置で第２ボルト把持手段９２が上下動するようにしている。かくして、移動テーブル６１の図２で左方への往動により、第１ソケット４１を左方の待機位置に移動させて上向き姿勢にしたとき、第１ボルト把持手段９１は、その把持爪９１，９１間の中心（把持中心）を第１ソケット４１の軸線と同一線上に位置させた状態で上下方向に直線移動することになる。また、移動テーブル６１の図２で右方への復動により、第２ソケット４２を右方の待機位置に移動させて上向き姿勢にしたとき、第２ボルト把持手段９２は、その把持爪９１，９１間の中心（把持中心）を第２ソケット４２の軸線と同一線上に位置させた状態で上下方向に直線移動することになる。
【００２１】
次に、本実施形態のボルト締付け装置によるワークＷへのボルトＢの締付け作業手順について、図２に示す状態を起点にして説明する。図２は、第１ソケット４１による１個のボルトＢの締付け工程中であって、第２ソケット４２が上向き姿勢で右方の待機位置に存し、第２ボルト把持手段９２により第２ソケット４２のボルト保持部４４にボルトＢが挿入済みの状態を示している。
【００２２】
第１ソケット４１によるボルトＢの締付け工程が完了すると、第１ソケット４１に対するボルト供給準備工程と、第２ソケット４２に対するボルト締付け準備工程とを同時に実行する。この工程では、先ず、クラッチホルダ５３を後退させてドグクラッチ５１を第１ソケット４１の回転軸４２から離脱させ、第１ソケット４１とナットランナ３の出力軸３ａとの連結を解除する。次に、移動テーブル６１を図２で左方に往動させる。これによれば、第１ソケット４１が左方の待機位置に移動しつつ上向き姿勢に姿勢変化し、同時に、第２ソケット４２が使用位置に移動しつつ締付け姿勢に姿勢変化する。そして、第２ソケット４２が締付け姿勢で使用位置に到達したとき、クラッチホルダ５３を前進させてドグクラッチ５１を第２ソケット４２の回転軸４２に係合させ、第２ソケット４２とナットランナ３の出力軸３ａとを連結する。
【００２３】
このようにして第２ソケット４２に対するボルト締付け準備工程が完了すると、ナットランナ３により第２ソケット４２を回転させて、第２ソケット４２のボルト保持部４４に保持されるボルトＢをワークＷに締付けるボルト締付け工程を実行する。
【００２４】
また、上記の工程と併行して第１ソケット４１に対するボルト供給工程を実行する。このボルト供給工程は、スライド板８１を移動テーブル６１に対し右方に移動させて、第１ボルトマガジン８１を、当該マガジン８１上の横方向最内側のボルトＢを第１ボルト把持手段９１で把持可能なボルト受け渡し位置に移動させるボルト把持準備工程と、第１ボルトマガジン８１上の横方向最内側のボルトＢを第１ボルト把持手段９１の把持爪９１，９１で把持するボルト把持工程と、スライド板８１を移動テーブル６１に対し左方に移動させて、第１ボルトマガジン８１を第１ボルト把持手段９１の把持爪９１，９１の下方への移動軌跡から横方向外方（左方）に外れた退避位置に移動させるマガジン退避工程と、第１ボルト把持手段９１を下方に移動させて、待機位置に存する上向き姿勢の第１ソケット４１のボルト保持部４４にボルトＢの頭部Ｂａを上方から挿入するボルト挿入工程と、第１ボルト把持手段９１の把持爪９１，９１を開いて、第１ボルト把持手段９１を上方位置に戻す復帰工程とから成る。尚、マガジン退避工程において、第１ボルト把持手段９１の把持爪９１，９１で把持した第１ボルトマガジン８１上の横方向最内側のボルトＢが当該マガジン８１から引き出される。また、ボルト挿入工程では、第１ボルト把持手段９１の把持爪９１，９１を低速回転させ、ボルト頭部Ｂａをボルト保持部４４に位相合わせして挿入する。
【００２５】
ここで、ボルト把持準備工程、ボルト把持工程及びマガジン退避工程は、第１ソケット４１によるボルト締付け工程中から第１ソケット４１に対するボルト供給準備工程完了までの間に実行される。そして、ボルト供給準備工程完了後に直ちにボルト挿入工程を実行する。これにより、第２ソケット４２によるボルト締付け工程の完了前に、第１ソケット４１に確実にボルトＢを供給することができる。
【００２６】
第２ソケット４２によるボルト締付け工程が完了すると、第２ソケット４２に対するボルト供給準備工程と、第１ソケット４１に対するボルト締付け順次工程とを同時に実行する。この工程では、先ず、クラッチホルダ５３を後退させてドグクラッチ５１を第２ソケット４２の回転軸４２から離脱させ、第２ソケット４２とナットランナ３の出力軸３ａとの連結を解除する。次に、移動テーブル６１を図２で右方に復動させる。これによれば、第２ソケット４２が右方の待機位置に移動しつつ上向き姿勢に姿勢変化し、同時に、第１ソケット４１が使用位置に移動しつつ締付け姿勢に姿勢変化する。そして、第１ソケット４１が締付け姿勢で使用位置に到達したとき、クラッチホルダ５３を前進させてドグクラッチ５１を第１ソケット４１の回転軸４２に係合させ、第１ソケット４１とナットランナ３の出力軸３ａとを連結する。
【００２７】
このようにして第１ソケット４１に対するボルト締付け順次工程が完了すると、ナットランナ３により第１ソケット４１を回転させて、第１ソケット４１のボルト保持部４４に保持されるボルトＢをワークＷに締付けるボルト締付け工程を実行する。
【００２８】
また、上記の工程と併行して第２ソケット４２に対するボルト供給工程を実行する。このボルト供給工程は、スライド板８１を移動テーブル６１に対し左方に移動させて、第２ボルトマガジン８２を、当該マガジン８２上の横方向最内側のボルトＢを第２ボルト把持手段９２で把持可能なボルト受け渡し位置に移動させるボルト把持準備工程と、第２ボルトマガジン８２上の横方向最内側のボルトＢを第２ボルト把持手段９２の把持爪９１，９１で把持するボルト把持工程と、スライド板８１を移動テーブル６１に対し右方に移動させて、第２ボルトマガジン８２を第２ボルト把持手段９２の把持爪９１，９１の下方への移動軌跡から横方向外方（右方）に外れた退避位置に移動させるマガジン退避工程と、第２ボルト把持手段９２を下方に移動させて、待機位置に存する上向き姿勢の第２ソケット４２のボルト保持部４４にボルトＢの頭部Ｂａを上方から挿入するボルト挿入工程と、第２ボルト把持手段９２の把持爪９１，９１を開いて、第２ボルト把持手段９２を上方位置に戻す復帰工程とから成る。
【００２９】
ここで、ボルト把持準備工程、ボルト把持工程及びマガジン退避工程は、第２ソケット４２によるボルト締付け工程中から第２ソケット４２に対するボルト供給準備工程完了までの間に実行され、ボルト供給準備工程完了後に直ちにボルト挿入工程を実行する。これにより、第１ソケット４１によるボルト締付け工程の完了前に、第２ソケット４２に確実にボルトＢを供給することができる。そして、以上の一連の工程を繰り返し、ワークＷに複数のボルトＢを締付ける。
【００３０】
本実施形態の締付け方法によれば、第１と第２の両ソケット４１，４２の一方のソケットによるボルト締付け工程中に、他方のソケットにボルトＢを供給することができ、更に、ボルト締付け工程完了後に、ナットランナ３の出力軸３ａに連結されていた一方のソケットを使用位置から待機位置に移動させるのと同時に他方のソケットを待機位置から使用位置に移動させるため、ソケット交換作業を能率良く行うことができる。これにより、ボルト１個当りの締付けサイクルタイムを短縮して、複数のボルトＢを能率良くワークＷに締付けることができる。
【００３１】
また、締付け姿勢が、ソケット先端のボルト保持部４４へのボルトＢの安定供給が困難な水平や下向きの姿勢であっても、ソケット４１，４２を上向き姿勢に姿勢変化させることで、ソケット先端のボルト保持部４４に上方から安定してボルトＢを挿入でき、ボルト供給ミスによるタイムロスを低減することができる。更に、ナットランナ３の出力軸３ａに連結されるソケットの先端近傍にはボルト供給のための付帯設備を配置せずに済み、ワークＷへの付帯設備の干渉でボルト締めが実行不能になることを回避できる。
【００３２】
また、各ボルトマガジン８１，８２をボルト受け渡し位置と退避位置とに移動自在とすることにより、各ボルト把持手段９１，９２を上下方向に直線移動するだけで、各ボルトマガジン８１，８２との干渉を生ずることなく、各ソケット４１，４２のボルト保持部４４にボルトＢを挿入できる。従って、ボルトマガジン８１，８２を回避するようにボルト把持手段９１，９２を上下方向以外の方向にも移動させる場合に比し、ボルト把持手段９１，９２の位置精度を確保し易くなり、ソケット４１，４２に安定して確実にボルトＢを供給できる。
【００３３】
以上、本発明の実施形態について図面を参照して説明したが、本発明はこれに限定されない。例えば、上記実施形態では、ボルト供給準備工程で各ソケット４１，４２をボルト保持部４４が鉛直方向真上を向く上向き姿勢とし、各ボルト把持手段９１，９２を鉛直な上下方向に直線移動自在としたが、本発明における各ソケット４１，４２の上向き姿勢は、ボルト保持部４４が実質的に上方を向けば足り、鉛直方向に対し傾いた姿勢であっても良い。同様に、各ボルト把持手段９１，９２の直線移動方向たる上下方向も、各ボルト把持手段９１，９２の直線移動で各ソケット４１，４２のボルト保持部４４にボルトＢを挿入できれば足り、鉛直方向に限定されない。また、各ソケット４１，４２の締付け姿勢は、上記実施形態のような水平姿勢に限らず、例えば、下向き姿勢であっても良い。
【００３４】
また、上記実施形態では、２個のソケット４１，４２を用いたが、ソケットの数は１個であっても３個以上であっても良い。ソケットが１個である場合は、ソケットをナットランナ３の出力軸３ａの軸線から離隔した待機位置に移動させる必要がない。従って、ソケットをナットランナ３の出力軸３ａの軸線に合致する位置で締付け姿勢と上向き姿勢に姿勢変化させるだけで良い。
【００３５】
また、上記実施形態では、第１と第２の両ボルト把持手段９１，９２を移動テーブル６１に設けたが、基盤２に、第１と第２の各ソケット４１，４２の待機位置と横方向同一位置で上下方向に直線移動するように第１と第２の各ボルト把持手段９１，９２を設けても良い。この場合、移動テーブル６１に第１と第２の各ボルトマガジン８１，８２を固定し、移動テーブル６１の左方への往動で、第１ボルトマガジン８１が退避位置、第２ボルトマガジン８２がボルト受け渡し位置に移動し、移動テーブル６１の右方への復動で、第１ボルトマガジン８１がボルト受け渡し位置、第２ボルトマガジン８２が退避位置に移動するように構成できる。
【００３６】
また、ソケット交換機構６の移動機構と姿勢変更機構とを一体化することも可能である。例えば、締付けヘッド１に、ナットランナ３の出力軸３ａの軸線とこれに交差する上下方向の線との間の等角二分線を中心にして回転する回転テーブルを設け、この回転テーブルに複数のソケットを、各ソケットの軸線が前記等角二分線に対しナットランナ３の出力軸３ａの軸線と前記上下方向の線との成す角度の半分の角度だけ傾斜するように取り付ければ、ナットランナ３の出力軸３ａの軸線に沿う締付け姿勢で該軸線に合致する使用位置に存するソケットを、回転テーブルの１８０°回転により、出力軸３ａの軸線から上方に離れた待機位置に上向き姿勢で移動させることができる。これによれば、回転テーブルでソケット交換機構６の移動機構と姿勢変更機構とが一体的に構成されることになる。この場合、各ソケットの待機位置が同一になり、各１個のボルトマガジン及びボルト把持手段で複数のソケットにボルトを供給できる。
【００３７】
また、上記実施形態では、ボルトマガジン８１，８２とボルト把持手段９１，９２とを締付けヘッド１に搭載したが、所定のボルト供給場所にボルトマガジンとボルト把持手段とを配置し、締付けヘッド１をボルト供給場所にソケットが上向き姿勢になるように移動させ、ボルト把持手段によりソケット先端のボルト保持部にボルトを挿入することも可能である。
【００３８】
また、ワークＷとしてトランスミッションケースを例示しているが、これ以外のワークに複数のボルトを締付ける場合、例えば、エンジンブロックにスタータ等の補器類を複数箇所でボルト止めする場合や、自動車車体にダンパやサスペンションアーム等の足回り部品を複数箇所でボルト止めする場合にも同様に本発明を適用できる。これらのワークのボルト締付け位置付近は空所が少ない。従って、ナットランナの出力軸に連結されるソケットの先端近傍にボルト供給のための付帯設備を配置せずに済む本発明は、これらのワークのボルト締付け作業に好適である。
【図面の簡単な説明】
【００３９】
【図１】本発明の実施形態のボルト供給装置を具備するボルト締付け装置を用いてボルト締め作業を行う作業ステーションを示す側面図。
【図２】実施形態のボルト供給装置を具備するボルト締付け装置の正面図。
【図３】図２のボルト締付け装置の背面図。
【図４】図２のＩＶ−ＩＶ線で切断した切断側面図。
【図５】図２のＶ−Ｖ線で切断した切断側面図。
【図６】図２のＶＩ−ＶＩ線で切断した切断平面図。
【図７】実施形態のボルト供給装置のボルト把持手段の配置部の平面図。
【符号の説明】
【００４０】
Ｂ…ボルト、４１，４２…ソケット、４４…ボルト保持部、７…ボルト供給装置、８１，８２…ボルトマガジン、９１，９２…ボルト把持手段。
【図１】
0004775822.tif 000002
【図２】
0004775822.tif 000003
【図３】
0004775822.tif 000004
【図４】
0004775822.tif 000005
【図５】
0004775822.tif 000006
【図６】
0004775822.tif 000007
【図７】
0004775822.tif 000008